(57)【要約】【課題】  本発明は、秘匿機能を備える再剥離可能な接着シート付のカード及びそのカードを形成するためのカード台紙を提供する。【解決手段】  本発明にかかる再剥離可能な接着シート付のカード５の一態様は、カード本体１０と、カード本体１０の貼付面に貼り付ける接着シート２０と、を含む。貼付面は、第１の貼付面１６と、第１の貼付面１６に隣接する第２の貼付面１８と、を有する。接着シート２０は、第１の貼付面１６に対して高い接着強度を有する強粘着部２０ａと、第２の貼付面１８に対して強粘着部２０ａよりも低い接着強度を有する弱粘着部２０ｂと、を有する。弱粘着部２０ｂは、第２の貼付面１８に対して再剥離可能であって、剥がす際に前記強粘着部２０ａとの境界線２１で剥離が止まる。【選択図】  図１
2014233933.tif 000002
【特許請求の範囲】
【請求項１】
カード本体（１０）と、
前記カード本体（１０）の貼付面に貼り付ける接着シート（２０）と、
を含み、
前記貼付面は、第１の貼付面（１６）と、該第１の貼付面（１６）に隣接する第２の貼付面（１８）と、を有し、
前記接着シート（２０）は、前記第１の貼付面（１６）に対して高い接着強度を有する強粘着部（２０ａ）と、前記第２の貼付面（１８）に対して該強粘着部（２０ａ）よりも低い接着強度を有する弱粘着部（２０ｂ）と、を有し、
前記弱粘着部（２０ｂ）は、前記第２の貼付面（１８）に対して再剥離可能であって、剥がす際に前記強粘着部（２０ａ）との境界線（２１）で剥離が止まることを特徴とする、再剥離可能な接着シート付のカード。
【請求項２】
請求項１において、
前記カード本体（１０）は、前記強粘着部（２０ａ）と前記弱粘着部（２０ｂ）の境界線（２１）の位置で折り曲げ可能であることを特徴とする、再剥離可能な接着シート付のカード。
【請求項３】
請求項１において、
前記強粘着部（１２０ａ）と前記弱粘着部（１２０ｂ）の境界線（１２１）は、前記カード本体（１００）の一方の長辺（１１０ａ）の近傍にあって、該長辺（１１０ａ）に沿って形成されることを特徴とする、再剥離可能な接着シート付のカード。
【請求項４】
請求項１乃至３のいずれか１項において、
前記第２の貼付面（１８）は、臓器提供意思表示欄であることを特徴とする、再剥離可能な接着シート付のカード。
【請求項５】
カード台紙（１）の貼付面（４ｂ，４ｃ）に貼り付けられた接着シート（２０）と、
カード本体（１０）の大きさの外側輪郭線に沿って前記カード台紙（１）及び前記接着シート（２０）に設けられた切れ目（３）と、
を有し、
前記貼付面（４ｂ，４ｃ）は、第１の貼付面（４ｃ）と、該第１の貼付面（４ｃ）に隣接する第２の貼付面（４ｂ）と、を有し、
前記接着シート（２０）は、前記第１の貼付面（４ｃ）に対して高い接着強度を有する強粘着部（２０ａ）と、前記第２の貼付面（４ｂ）に対して該強粘着部（２０ａ）よりも低い接着強度を有する弱粘着部（２０ｂ）と、を有し、
前記接着シート（２０）は、前記切れ目（３）によって区画されたカード本体（１０）の外側輪郭線を超えて貼付面（４ｂ，４ｃ）に貼り付けられることを特徴とする、カード台紙。
【請求項６】
請求項５において、
前記第２の貼付面（１８）は、臓器提供意思表示欄を含むことを特徴とする、カード台紙。
【発明の詳細な説明】
【技術分野】
【０００１】
本発明は、再剥離可能な接着シート付のカード及びそのカードを形成するためのカード台紙に関する。
【背景技術】
【０００２】
改ざん防止機能付きカードとして「臓器提供意思表示カード」が普及している（例えば、特許文献１、特許文献２、及び特許文献３参照）。
【０００３】
これらの改ざん防止機能付きカードにおいては、カード保持者の意思を記載した情報記載欄を改ざん不可とする（改ざん防止機能）とともに、その情報記載欄を目視不可（秘匿機能）とした高機能のカードであった。
【０００４】
一方で、これらの改ざん防止機能付きカードは、その構成要素である高機能な積層構造を有するカード基材を採用することから、比較的高価である。そのため、「臓器提供意思表示カード」に要求される改ざん防止機能及び秘匿機能を備えていながらも、高価であることを理由として採用を控える自治体もある。
【先行技術文献】
【特許文献】
【０００５】
【特許文献１】実用新案登録第３１４１１９１号公報
【特許文献２】実用新案登録第３１６１４４３号公報
【特許文献３】実用新案登録第３１６７９３４号公報
【発明の概要】
【発明が解決しようとする課題】
【０００６】
そこで、本発明は、秘匿機能を備える再剥離可能な接着シート付のカード及びそのカードを形成するためのカード台紙を提供することを目的とする。
【課題を解決するための手段】
【０００７】
本発明は上述の課題の少なくとも一部を解決するためになされたものであり、以下の態様または適用例として実現することができる。
【０００８】
本発明にかかる再剥離可能な接着シート付のカード（５）の一態様は、
カード本体（１０）と、
前記カード本体（１０）の貼付面に貼り付ける接着シート（２０）と、
を含み、
前記貼付面は、第１の貼付面（１６）と、該第１の貼付面（１６）に隣接する第２の貼付面（１８）と、を有し、
前記接着シート（２０）は、前記第１の貼付面（１６）に対して高い接着強度を有する強粘着部（２０ａ）と、前記第２の貼付面（１８）に対して該強粘着部（２０ａ）よりも低い接着強度を有する弱粘着部（２０ｂ）と、を有し、
前記弱粘着部（２０ｂ）は、前記第２の貼付面（１８）に対して再剥離可能であって、剥がす際に前記強粘着部（２０ａ）との境界線（２１）で剥離が止まることを特徴とする。
【０００９】
本発明にかかる再剥離可能な接着シート付のカード（５）の一態様において、
前記カード本体（１０）は、前記強粘着部（２０ａ）と前記弱粘着部（２０ｂ）の境界
線（２１）の位置で折り曲げ可能であることができる。
【００１０】
本発明にかかる再剥離可能な接着シート付のカード（５）の一態様において、
前記強粘着部（１２０ａ）と前記弱粘着部（１２０ｂ）の境界線（１２１）は、前記カード本体（１００）の一方の長辺（１１０ａ）の近傍にあって、該長辺（１１０ａ）に沿って形成することができる。
【００１１】
本発明にかかる再剥離可能な接着シート付のカード（５）の一態様において、
前記第２の貼付面（１８）は、臓器提供意思表示欄であることができる。
【００１２】
本発明にかかるカード台紙（１）の一態様は、
カード台紙（１）の貼付面（４ｂ，４ｃ）に貼り付けられた接着シート（２０）と、
カード本体（１０）の大きさの外側輪郭線に沿って前記カード台紙（１）及び前記接着シート（２０）に設けられた切れ目（３）と、
を有し、
前記貼付面（４ｂ，４ｃ）は、第１の貼付面（４ｃ）と、該第１の貼付面（４ｃ）に隣接する第２の貼付面（４ｂ）と、を有し、
前記接着シート（２０）は、前記第１の貼付面（４ｃ）に対して高い接着強度を有する強粘着部（２０ａ）と、前記第２の貼付面（４ｂ）に対して該強粘着部（２０ａ）よりも低い接着強度を有する弱粘着部（２０ｂ）と、を有し、
前記接着シート（２０）は、前記切れ目（３）によって区画されたカード本体（１０）の外側輪郭線を超えて貼付面（４ｂ，４ｃ）に貼り付けられることを特徴とする。
【００１３】
本発明にかかるカード台紙（１）の一態様において、
前記第２の貼付面（１８）は、臓器提供意思表示欄を含むことができる。
【発明の効果】
【００１４】
本発明にかかる再剥離可能な接着シート付のカード（５）によれば、接着シート（２０）の弱粘着部（２０ｂ）を第２の貼付面（１８）に対して再剥離可能とすることによって、カード上の情報を秘匿する機能を有することができる。また、本発明にかかる再剥離可能な接着シート付のカードによれば、接着シート（２０）の弱粘着部（２０ｂ）を剥がす際に強粘着部（２０ａ）との境界線（２１）によって剥離を止めることができるため、剥がす必要性のある部分だけを剥離させることができ、再貼付する際にも貼付面積が小さくて済むため接着シート（２０）の貼付位置がずれることを防止できる。
【００１５】
また、本発明にかかるカード台紙（１）によれば、強粘着部（２０ａ）と弱粘着部（２０ｂ）とを有する接着シート（２０）が貼り付けられた状態で切れ目（３）からカード本体（１０）を抜き取るだけで秘匿機能を有するカード（５）を利用することができる。
【図面の簡単な説明】
【００１６】
【図１】第１の実施の形態に係る再剥離可能な接着シート付のカードの正面図である。
【図２】第１の実施の形態に係る再剥離可能な接着シート付のカードの背面図である。
【図３】第１の実施の形態に係る再剥離可能な接着シート付のカードの使用状態を示す背面図である。
【図４】第１の実施の形態に係る再剥離可能な接着シート付のカードの使用状態を示す側面図である。
【図５】第１の実施の形態に係る再剥離可能な接着シート付のカードの構成を示す模式図である。
【図６】第２の実施の形態に係るカード台紙の正面図である。
【図７】第２の実施の形態に係るカード台紙の背面図である。
【図８】第３の実施の形態に係る再剥離可能な接着シート付のカードの正面図及び背面図である。
【図９】第４の実施の形態に係るカード台紙の正面図である。
【図１０】第４の実施の形態に係るカード台紙の背面図である。
【発明を実施するための形態】
【００１７】
以下、本発明の実施の形態について図面を参照しながら詳細に説明する。
【００１８】
本発明の一実施の形態に係るにかかる再剥離可能な接着シート付のカード（５）は、カード本体（１０）と、前記カード本体（１０）の貼付面に貼り付ける接着シート（２０）と、を含み、前記貼付面は、第１の貼付面（１６）と、該第１の貼付面（１６）に隣接する第２の貼付面（１８）と、を有し、前記接着シート（２０）は、前記第１の貼付面（１６）に対して高い接着強度を有する強粘着部（２０ａ）と、前記第２の貼付面（１８）に対して該強粘着部（２０ａ）よりも低い接着強度を有する弱粘着部（２０ｂ）と、を有し、前記弱粘着部（２０ｂ）は、前記第２の貼付面（１８）に対して再剥離可能であって、剥がす際に前記強粘着部（２０ａ）との境界線（２１）で剥離が止まることを特徴とする。
【００１９】
本発明の一実施の形態に係るにかかるカード台紙（１）は、カード台紙（１）の貼付面（４ｂ，４ｃ）に貼り付けられた接着シート（２０）と、カード本体（１０）の大きさの外側輪郭線に沿って前記カード台紙（１）及び前記接着シート（２０）に設けられた切れ目（３）と、を有し、前記貼付面（４ｂ，４ｃ）は、第１の貼付面（４ｃ）と、該第１の貼付面（４ｃ）に隣接する第２の貼付面（４ｂ）と、を有し、前記接着シート（２０）は、前記第１の貼付面（４ｃ）に対して高い接着強度を有する強粘着部（２０ａ）と、前記第２の貼付面（４ｂ）に対して該強粘着部（２０ａ）よりも低い接着強度を有する弱粘着部（２０ｂ）と、を有し、前記接着シート（２０）は、前記切れ目（３）によって区画されたカード本体（１０）の外側輪郭線を超えて貼付面（４ｂ，４ｃ）に貼り付けられることを特徴とする。
【００２０】
１．第１の実施の形態
図１は、第１の実施の形態に係る再剥離可能な接着シート付のカード５の正面図である。図２は、第１の実施の形態に係る再剥離可能な接着シート付のカード５の背面図である。図３は、第１の実施の形態に係る再剥離可能な接着シート付のカード５の使用状態を示す背面図である。図４は、第１の実施の形態に係る再剥離可能な接着シート付のカード５の使用状態を示す側面図である。図５は、第１の実施の形態に係る再剥離可能な接着シート付のカード５の構成を示す模式図である。
【００２１】
図１に示すように、カード５は、カード本体１０と、カード本体１０の貼付面（背面）に貼り付ける接着シート２０と、を含む。カード５は、山折り部１１で山折りに折り畳んで利用するいわゆるバタフライ型のカードであって、折り畳んだ状態では図１の左側半分が表面１２、右側半分が裏面１４となる。
【００２２】
第１の実施の形態において、カード５は、「国民健康保険被保険者証」である例を示す。一般的に、バタフライ型のカードを採用している市町村の国民健康保険被保険者証は、表面１２に有効期限、氏名、性別、保険者番号などが記載され、裏面１４に注意事項などが記載されることが多い。
【００２３】
図２に示すように、カード５の背面側、すなわち折り畳んだ状態で内側になる面は接着
シート２０がカード本体１０に貼り付けられる貼付面であり、本実施の形態ではカード５の背面の全面が貼付面に形成されている。貼付面は、第１の貼付面１６と、第１の貼付面１６に隣接する第２の貼付面１８と、を有する。図２の貼付面においては、カード５の左半分が第１の貼付面１６であり、右半分が第２の貼付面１８である。
【００２４】
接着シート２０は、第１の貼付面１６に対して高い接着強度を有する強粘着部２０ａと、第２の貼付面１８に対して強粘着部２０ａよりも低い接着強度を有する弱粘着部２０ｂと、を有する。図２においては、第１の貼付面１６に接着シート２０の左半分である強粘着部２０ａが貼り付けられ、第２の貼付面１８に接着シート２０の右半分である弱粘着部２０ｂが貼り付けられている。そして、カード５の谷折になる部分に強粘着部２０ａと弱粘着部２０ｂとの境界である仮想の境界線２１が形成されている。図２においては、強粘着部２０ａと弱粘着部２０ｂとをわかりやすくするために、異なるハッチングで示しているが、実用上は「臓器提供意思表示方法について」の説明書きなどが記載される。
【００２５】
図３に示すように、弱粘着部２０ｂは、カード本体１０の第２の貼付面１８に対して弱粘着面２２ｂが再剥離可能である。再剥離可能とは、被接着面に対し再剥離可能でありかつ再貼付可能であるという機能を有することである。すなわち、弱粘着面２２ｂは、第２の貼付面１８に対して貼り付けられた状態から一旦剥離した後、第２の貼付面１８に再び貼り付けることが可能であり、さらに剥離することが可能である。弱粘着面２２ｂの再剥離性は、例えば複数回の剥離・貼付を行うことができることが望ましい。このような弱粘着部２０ｂは、弱粘着面２２ｂに再剥離性のある粘着剤を有することによって可能となる。
【００２６】
弱粘着面２２ｂに用いることができる再剥離性のある粘着剤は、例えば、ポスト・イット（３Ｍ社の登録商標）の接着部分に代表されるような公知の微球体を用いた粘着剤を採用することができる。弱粘着部２０ｂの剥離強度は、カードの材質、接着シートの材質、及び使用態様などによって適宜調整することができるが、カードの利用者が手で接着シート２０をめくり上げることで剥離する程度であることができる。また、再剥離性のある粘着剤は、剥がす際にカード本体１０の第２の貼付面１８を破壊せず、かつ粘着剤を第２の貼付面１８にほとんど残すことがない。
【００２７】
図４に示すように、接着シート２０のカード本体１０に貼り付けられる側の表面には、強粘着剤２４ａと弱粘着剤２４ｂとが隣接して設けられている特別な構造を有する。強粘着部２０ａは、弱粘着部２０ｂとは対照的に、一旦貼ったら容易に剥がすことができない程度の接着強度を有していることが望ましい。強粘着部２０ａに用いる粘着剤または接着剤は、弱粘着剤２４ｂよりも高い接着強度を有していればよいので、いわゆる粘着剤に狭義に分類されるようなものに限らず、接着剤として一般に用いられるものをも含むことができる。
【００２８】
そのため、使用者が弱粘着部２０ｂをカード本体１０からめくり上げることによって、第２の貼付面１８から弱粘着部２０ｂが剥がれるが、接着強度が変わる境界線２１まで剥がれたところで剥離が止まる。したがって、境界線２１は、直線状であって、カード本体１０の一方の端部から他方の端部まで延びるように形成されることが好ましい。第１の実施の形態においては、境界線２１はカード本体１０の短辺の長さに渡って延びている。
【００２９】
このように、接着シート２０の弱粘着部２０ｂを第２の貼付面１８に対して再剥離可能とすることによって、カード上の情報を秘匿する機能を有することができる。具体的には、カード本体１０の第２の貼付面１８に第三者に見られたくない情報を記入した上で弱粘着部１０ｂを再び貼り付けることで、その情報を第三者に対し秘匿することができる。また、接着シート２０の弱粘着部２０ｂを剥がす際に強粘着部２０ａとの境界線２１によっ
て剥離を止めることができるため、剥がす必要性のある部分（弱粘着部２０ｂ）だけを剥離させることができ、再貼付する際にも貼付面積が小さくて済むため接着シート２０の貼付位置がずれてしまうことを防止できる。
【００３０】
また、カード本体１０は、境界線２１の位置で折り曲げ可能であり、山折り部１１で山折りに折り畳んで利用することができる、いわゆるバタフライ型のカードである。そのため、カード５は、カード本体１０の表面１２、裏面１４、及び第２の貼付面１８に情報を記載することができると共に、接着シート２０の強粘着部２０ａの表面、弱粘着部２０ｂの表面、及び弱粘着面２２ｂに情報を記載することができるため、カードの６面を情報記載面として利用することができる利点がある。
【００３１】
例えば、カード５は国民健康保険被保険者証であって、第２の貼付面１８は臓器提供意思表示欄であることができる。その場合、臓器提供意思表示欄には脳死後及び心停止後に臓器を提供してよいかどうかの意思表示欄と、どの臓器を提供するかを明示する欄と、本人の署名欄などが印刷される。国民健康保険被保険者証としての表示機能と、臓器提供意思表示としての機能と、それらの使用方法を表示する機能などの多数の機能を有するカードにあっては、６面を情報記載面として利用することができるため有利である。
【００３２】
図５は、カード５の構成を示す模式図であって、上には接着シート２０を、下にはカード本体１０を分離して示す。カード本体１０と接着シート２０の外形は同じである。
【００３３】
図５において、接着シート２０は、カード本体１０に貼り付ける側の面、すなわち強粘着面２２ａと弱粘着面２２ｂを示している。
【００３４】
実際には、強粘着面２２ａと弱粘着面２２ｂは連続していてその境界は必ずしも明確なものではないが、図５においては強粘着剤２４ａが設けられている強粘着面２２ａと弱粘着剤２４ｂが設けられている弱粘着面２２ｂとの境界を明確に示すために、各面には異なるハッチングを施して示し、境界には境界線２１を記載している。強粘着剤２４ａ及び弱粘着剤２４ｂは、強粘着面２２ａ及び弱粘着面２２ｂにあらかじめ境界線２１で隣接するように形成してから第１の貼付面１６及び第２の貼付面１８に対して貼り付けられる。
【００３５】
接着シート２０の材質は、紙であることができるが、他の材質であってもよい。
【００３６】
カード本体１０の材質は、紙であることができるが、カードに用いられる公知の材質であってもよい。カード本体１０が紙製である場合には、第２の貼付面１８に使用者がボールペンなどの筆記具で記入することができ、特に、印鑑を押印することも可能である。
【００３７】
２．第２の実施の形態
図６は、第２の実施の形態に係るカード台紙１の正面図である。図７は、第２の実施の形態に係るカード台紙１の背面図である。
【００３８】
カード台紙１は、第１の実施の形態のカード５を抜き取ることができる。
【００３９】
図６において、カード台紙１は、平面視で左側の台紙の第１の部分１ａにカード受取人の住所及び氏名をプリントする宛名表示欄２が設けられ、右側の台紙の第２及び第３の部分１ｂ、１ｃにカード本体１０が分離可能に設けられている。
【００４０】
カード台紙１は、カード本体１０の大きさの外側輪郭線に沿ってカード台紙１及び接着シート２０に設けられた切れ目３を有している。すなわち、カード本体１０は、カード本体１０の外側輪郭線に沿って形成された切れ目３の部分によってカード台紙１に連接され
ている。切れ目３は、例えば、マイクロカットと称するミシン目構造であって、スリット（切離された部分）の長さが０．３５ｍｍ、タイ（繋がっている部分）の長さが０．１５ｍｍ程度に形成されているものを採用することができる。したがって、カード本体１０は、カード台紙１からから容易に分離でき、また、分離された後のカード本体１０は、カード周縁部の端面部が滑らかに形成されている。
【００４１】
カード台紙１は、台紙の第１の部分１ａと台紙の第２の部分１ｂとの間の破線で示した部分を山折りにして折り畳まれて窓付き封筒を使用してカード受取人に郵送することができる。破線で示した部分には、ミシン目をつけて折り曲げやすくすることができる。カード台紙１の第２、第３の部分１ｂ、１ｃを合わせた大きさは、定形郵便の大きさに相当するサイズにすることができる。
【００４２】
カード台紙１は、１つの宛名に送付するために裁断された態様を示しているが、台紙の両端に送り孔があることから当業者には容易に理解できるとおり、カード台紙１が図の上下方向に連続するいわゆる連続帳票用紙の一部とすることができる。送り孔の部分はミシン目によってカード台紙１から容易に取り除くことができる構成としても良い。
【００４３】
図７に示すように、カード台紙１の背面である貼付面に接着シート２０が貼り付けられている。貼付面は、台紙の第３の部分１ｃに設けられた第１の貼付面４ｃと、台紙の第２の部分１ｂに設けられ、かつ、第１の貼付面４ｃに隣接する第２の貼付面４ｂと、を有している。
【００４４】
接着シート２０は、第１の貼付面４ｃに対して高い接着強度を有する強粘着部２０ａと、前記第２の貼付面４ｂに対して該強粘着部２０ａよりも低い接着強度を有する弱粘着部２０ｂと、を有している。図７においては、説明のため、強粘着部２０ａと弱粘着部２０ｂとを異なるハッチングで示している。また、接着シート２０は、切れ目３によって区画されたカード本体１０と、カード本体１０の外側輪郭線を超えた領域まで第１及び第２の貼付面４ｃ，４ｂに貼り付けられている。
【００４５】
カード台紙１を受け取ったカード使用者は、接着シート２０が貼り付いた状態でカード本体１０をカード台紙１から切れ目３に沿って容易に抜き取ることができる。抜き取ったカードは、第１の実施の形態におけるカード５であることができる。
【００４６】
第２の貼付面１８は、第１の実施の形態におけるカード本体１０と同様に、臓器提供意思表示欄を含むことができる。
【００４７】
従来の臓器提供意思表示カードを郵送する場合には、背景技術の欄で挙げたような高機能のカード台紙を除けば、封筒に接着シートをカードとは別個に封入したり、台紙の一部に剥がしやすい特殊加工をした部分を設けて接着シートを貼り付けて封入したりしていた。このような従来の方法では、接着シートを別個に封入する場合においても特殊加工部分に貼り付け封入する場合においても、封入作業における手間がかかるばかりか、カード使用者の手間も増えてしまうことになっていた。
【００４８】
第２の実施の形態におけるカード台紙１によれば、隣接する強粘着部２０ａと弱粘着部２０ｂとを有する接着シート２０が貼り付けられた状態で切れ目３からカード本体１０を抜き取るだけで秘匿機能を有するカードを利用することができ、カード使用者の手間を省くことができる。また、カード情報などが印刷された台紙のカード本体１０に対応する位置に強粘着部２０ａと弱粘着部２０ｂとを隣接して有する特別な接着シート２０を貼り付けてマイクロカット加工を施すだけでカード台紙１を製作することができるため、封入作業の手間も省くことができる。
【００４９】
３．第３の実施の形態
図８は、第３の実施の形態に係る再剥離可能な接着シート付のカード１０５の正面図及び背面図である。図８の上方にカード１０５の正面図が記載され、図８の下方にカード１０５の背面図が記載されている。
【００５０】
カード１０５は、例えば、国民健康保険被保険者証であることができ、その表面１１２には国民健康保険被保険者証の各種情報が記載される。そして、カード１０５の裏面には接着シート１２０が貼り付けられている。カード１０５は外形が一般的な略長方形であり、「国民健康保険被保険者証」と記載された側を上として、上側の長辺１１０ａ、下側の長辺１１０ｂ、右側の短辺１１０ｃ、及び左側の短辺１１０ｄを有する。
【００５１】
カード１０５は、境界線１２１が、カード本体１００の一方の長辺、図８においてはカード１０５の上側の長辺１１０ａの近傍にあって、長辺１１０ａに沿って形成されている。境界線１２１の上側は強粘着部１２０ａに形成され、境界線１２１の下側は弱粘着部１２０ｂに形成されている。
【００５２】
カード１０５の形態は第１の実施の形態のカード５の形態と異なるが、強粘着部１２０ａと弱粘着部１２０ｂの基本的な構成は同様であるので重複する説明は省略する。強粘着部１２０ａにおけるカード本体１００の第１の貼付面１１６と対向する面には強粘着剤が設けられ、弱粘着部１２０ｂにおけるカード本体１００の第２の貼付面１１８と対向する面には弱粘着剤が設けられる。
【００５３】
カード使用者は、例えば、下側の長辺１１０ｂから接着シート１２０をめくりあげ、弱粘着部１２０ｂを上方へ向けて剥がしていくと、強粘着部１２０ａとの境界線１２１まで剥がしたところで止まり、接着シート１２０の全体をカード本体１００から剥ぎ取ることはできない。そして、第２の貼付面１１８に必要事項を記入した後、接着シート１２０を元のように貼り付けて所持することができる。したがって、接着シート１２０によって第２の貼付面１１８が覆われている状態では秘匿性が確保されることになる。また、接着シート１２０は、強粘着部１２０ａでカード本体１００に固定されているので、再貼り付けする際にも皺がよりにくく、ずれることもないので、容易に再貼り付けすることができる。
【００５４】
弱粘着部１２０ｂを剥がしたカード本体１００の第２の貼付面１１８には、臓器提供意思表示欄を設けることができる。
【００５５】
第３の実施の形態のカード１０５は、第１の実施の形態のバタフライ型のカード５に比べて情報記載面が２ページ分少ないが、接着シート１２０の表面及び裏面を利用すると、略４ページ分を情報記載面（例えば、印刷面）として活用することができる。
【００５６】
４．第４の実施の形態
図９は、第４の実施の形態に係るカード台紙１０１の正面図である。図１０は、第４の実施の形態に係るカード台紙１０１の背面図である。
【００５７】
カード台紙１０１は、第３の実施の形態のカード１０５を抜き取ることができる。
【００５８】
図９において、カード台紙１０１は、平面視で左側の台紙の第１の部分１０１ａにカード受取人の住所及び氏名をプリントする宛名表示欄１０２が設けられ、右側の台紙の第２の部分１０１ｂにカード本体１００が分離可能に設けられている。
【００５９】
カード台紙１０１は、カード本体１００の大きさの外側輪郭線に沿ってカード台紙１０１及び接着シート１２０に設けられた切れ目１０３を有している。すなわち、カード本体１００は、カード本体１００の外側輪郭線に沿って形成された切れ目１０３の部分によってカード台紙１０１に連接されている。
【００６０】
カード台紙１０１は、窓付き封筒を使用してカード受取人に郵送することができる。カード台紙１０１の大きさは、定形郵便の大きさに相当するサイズにすることができる。
【００６１】
カード台紙１０１は、１つの宛名に送付するために裁断された態様を示しているが、台紙の両端の送り孔の並ぶ方向に沿って連続するいわゆる連続帳票用紙の一部であることができる。送り孔の部分はミシン目によってカード台紙１から容易に取り除くことができる構成としても良い。
【００６２】
図１０に示すように、カード台紙１０１の背面である貼付面に接着シート１２０が貼り付けられている。貼付面は、第１の貼付面１０４ｃと、第１の貼付面１０４ｃの下方に隣接する第２の貼付面１０４ｂと、を有している。
【００６３】
接着シート１２０は、第１の貼付面１０４ｃに対して高い接着強度を有する強粘着部１２０ａと、第２の貼付面１０４ｂに対して強粘着部１２０ａよりも低い接着強度を有する弱粘着部１２０ｂと、を有している。図１０においては、説明のため、強粘着部１２０ａと弱粘着部１２０ｂとを異なるハッチングで示している。また、接着シート１２０は、切れ目１０３によって区画されたカード本体１００の外側輪郭線を超えて第１及び第２の貼付面１０４ｃ，１０４ｂに貼り付けられている。
【００６４】
カード台紙１を受け取ったカード使用者は、カード台紙１０１からカード本体１００を接着シート１２０が貼り付いた状態で切れ目１０３に沿って容易に抜き取ることができる。
【００６５】
第４の実施の形態におけるカード台紙１０１によれば、強粘着部１２０ａと弱粘着部１２０ｂとを有する接着シート１２０が貼り付けられた状態で切れ目１０３からカード本体１００を抜き取るだけで秘匿機能を有するカードを利用することができ、カード使用者の手間を省くことができる。また、カード情報などが印刷された台紙のカード本体１００に対応する位置に強粘着部１２０ａと弱粘着部１２０ｂとを有する特別な接着シート１２０を貼り付けてマイクロカット加工を施すだけでカード台紙１を製作することができるため、封入作業の手間も省くことができる。
【００６６】
本発明は上記実施の形態に限定されるものでなく、本発明の要旨を逸脱しない範囲内での種々、設計変更した形態を技術的範囲に含むものである。
【符号の説明】
【００６７】
１  カード台紙
１ａ  台紙の第１の部分
１ｂ  台紙の第２の部分
１ｃ  台紙の第３の部分
２  宛名表示欄
３  切れ目
４ｂ  第２の貼付面
４ｃ  第１の貼付面
５  カード
１０  カード本体
１１  山折り部
１２  表面
１４  裏面
１６  第１の貼付面
１８  第２の貼付面
２０  接着シート
２０ａ  強粘着部
２０ｂ  弱粘着部
２１  境界線
２２ａ  強粘着面
２２ｂ  弱粘着面
２４ａ  強粘着剤
２４ｂ  弱粘着剤
１００  カード本体
１０１  カード台紙
１０１ａ  台紙の第１の部分
１０１ｂ  台紙の第２の部分
１０２  宛名表示欄
１０３  切れ目
１０４ｂ  第２の貼付面
１０４ｃ  第１の貼付面
１０５  カード
１１０ａ，１１０ｂ  長辺
１１０ｃ，１１０ｄ  短辺
１１２  表面
１１４  裏面
１１６  第１の貼付面
１１８  第２の貼付面
１２０  接着シート
１２０ａ  強粘着部
１２０ｂ  弱粘着部
１２１  境界線
【図１】
2014233933.tif 000003
【図２】
2014233933.tif 000004
【図３】
2014233933.tif 000005
【図４】
2014233933.tif 000006
【図５】
2014233933.tif 000007
【図６】
2014233933.tif 000008
【図７】
2014233933.tif 000009
【図８】
2014233933.tif 000010
【図９】
2014233933.tif 000011
【図１０】
2014233933.tif 000012